(57)【特許請求の範囲】
【請求項１】
伝送系を介して入力される入力信号をエンベロープ検波し、前記入力信号の上側エンベロープ及び下側エンベロープを検出するエンベロープ検波回路と、
前記上側エンベロープ及び前記下側エンベロープを基準にして、前記上側エンベロープ及び前記下側エンベロープの信号レベルに追従して信号レベルが変化するしきい値を設定するしきい値設定回路と、
前記しきい値と前記入力信号との比較結果を出力する比較回路と、
前記比較結果をカウントし、カウント結果を出力するカウンタとを具え、
前記しきい値の信号レベルを切り換えて得られる前記カウント結果により、前記伝送系を介して入力される前記入力信号の直流レベルを測定する
ことを特徴とする直流レベル測定回路。
【請求項２】
伝送系を介して入力される入力信号をエンベロープ検波し、前記入力信号の上側エンベロープ及び下側エンベロープを検出するエンベロープ検波回路と、
前記上側エンベロープ及び前記下側エンベロープを基準にして、前記上側エンベロープ及び前記下側エンベロープの信号レベルに追従して信号レベルが変化するしきい値を設定するしきい値設定回路と、
前記しきい値と前記入力信号との比較結果を出力する比較回路と、
前記比較結果をカウントし、カウント結果を出力するカウンタとを具え、
前記しきい値の信号レベルを切り換えて得られる前記カウント結果により、前記伝送系を最適化する
ことを特徴とするデータ伝送装置。
【請求項３】
伝送系を介して入力される入力信号をエンベロープ検波し、前記入力信号の上側エンベロープ及び下側エンベロープを検出するエンベロープ検波回路と、
前記上側エンベロープ及び前記下側エンベロープを基準にして、前記上側エンベロープ及び前記下側エンベロープの信号レベルに追従して信号レベルが変化するしきい値を設定するしきい値設定回路と、
前記しきい値と前記入力信号との比較結果を出力する比較回路と、
前記比較結果をカウントし、カウント結果を出力するカウンタと、
前記入力信号をシリアルデータに変換する信号処理回路とを具え、
前記しきい値の信号レベルを切り換えて得られる前記カウント結果により、前記信号処理回路を最適化する
ことを特徴とするデータ伝送装置。
【請求項４】
ディスク状記録媒体に順次所望の記録データを記録し、さらに前記ディスク状記録媒体に記録したデータを再生するディスク装置において、
前記ディスク状記録媒体を再生して得られる再生信号について、前記再生信号をエンベロープ検波し、前記再生信号の上側エンベロープ及び下側エンベロープを検出するエンベロープ検波回路と、
前記上側エンベロープ及び前記下側エンベロープを基準にして、前記上側エンベロープ及び前記下側エンベロープの信号レベルに追従して信号レベルが変化するしきい値を設定するしきい値設定回路と、
前記しきい値と前記再生信号との比較結果を出力する比較回路と、
前記比較結果をカウントし、カウント結果を出力するカウンタとを具え、
前記しきい値の信号レベルを切り換えて得られる前記カウント結果により、前記再生信号の直流レベルを測定する
ことを特徴とするディスク装置。
【請求項５】
前記直流レベルの測定結果に基づいて、前記ディスク状記録媒体に照射する光ビームの光量及び又は照射時間を補正することにより、前記ディスク状記録媒体の記録系又は再生系を最適化する
ことを特徴とする請求項４に記載のディスク装置。
【請求項６】
前記再生信号の周波数特性を補正するフィルタ回路と、
前記再生信号と所定の２値化レベルとの間で比較結果を得ることにより、前記再生信号をシリアルデータに変換する信号処理回路とを有し、
前記直流レベルの測定結果に基づいて、前記フィルタ回路の周波数特性及び又は前記２値化レベルを補正する
ことを特徴とする請求項４又は請求項５に記載のディスク装置。
【発明の詳細な説明】
【０００１】
【産業上の利用分野】
本発明は、ディスク装置、データ伝送装置及び直流レベル測定回路に関し、例えば光磁気ディスク装置に適用することができる。
【０００２】
【従来の技術】
従来、データ伝送装置でなる光磁気ディスク装置は、順次連続するデータ間の符号間干渉を有効に回避し、また記録の条件を選定することにより、再生信号の直流レベルを一定値に保持し、これにより記録したデータを確実に再生するようになされている。
【０００３】
すなわちこの種の光磁気ディスク装置において、光磁気ディスクは、所定のディスク状基板に、例えばスパッタリング等の手法を適用して磁性膜でなる垂直磁化膜が形成されることにより情報記録面が形成され、さらにこの情報記録面に保護膜が配置されて形成される。
【０００４】
この光磁気ディスクに対して、光磁気ディスク装置は、記録時、レーザービームの光量を間欠的に立ち上げて光磁気ディスクの情報記録面に照射し、このレーザービームの照射位置に所定の変調磁界を印加する。これにより光磁気ディスク装置は、熱磁気記録の手法を適用して所望のデータを記録する。
【０００５】
これに対して再生時、光磁気ディスク装置は、直線偏波のレーザービームを光磁気ディスクに照射し、その戻り光の偏波面の変化を検出することにより、この偏波面の変化に応じて信号レベルが変化する再生信号を検出し、この再生信号を所定のしきい値で２値化することにより記録したデータを再生する。これにより光磁気ディスク装置は、磁気カー効果を利用して光磁気ディスクに記録されたデータを再生する。
【０００６】
従って光磁気ディスク装置において、再生信号の直流レベルが変動したのでは、再生信号を正しく２値化することが困難になり、結局記録したデータを正しく再生することが困難になる。
【０００７】
このため光磁気ディスク装置では、記録時、書き込みデータを所定の変調方式により変調して記録し、再生時、この変調方式に対応する復号化処理を実行する。すなわちこの変調処理は、ホストコンピュータ等から入力される書き込みデータに誤り訂正符号等を付加した後、論理「Ｈ」レベルの期間と、論理「Ｌ」レベルの期間とが等しくなるように、すなわち変調後のデータ列において直流レベルが０レベルになるように、書き込みデータを例えばＥＦＭ（Eight to Fourteen Modulation）変調して実行される。
【０００８】
これにより光磁気ディスク装置は、正しい条件でこの記録データが記録されたとき、再生時において、再生信号の直流レベルが一定値に保持されるようにする。
【０００９】
さらに光磁気ディスク装置では、予め、光磁気ディスク上に形成された試し書き領域を用いて試し書きすることにより、記録データのデータ長が変化した場合でも、再生信号の直流レベルが一定値に保持されるように、レーザービームの光量を調整する。
【００１０】
すなわち光磁気ディスク装置では、レーザービームを照射することにより、レーザービーム照射位置の温度を垂直磁化膜のキューリー温度以上に上昇させた後、冷却時、局所的に加熱された垂直磁化膜が変調磁界の極性に磁化されることにより記録データの極性で連続するピットを形成して記録データを記録する。
【００１１】
このためこの種の光磁気ディスク装置においては、垂直磁化膜を形成する磁性材料のキューリー温度、光磁気ディスクの構成部品の熱伝導率等により（すなわち光磁気ディスクの感度でなる）、またレーザービームの書き込み用の光量、周囲温度等により、形成されるピットの大きさが変化する特徴がある。
【００１２】
すなわちレーザービームを照射した際に、周囲温度が高い場合、光磁気ディスクの感度が高い場合、レーザービーム照射位置の温度が速やかにキューリー温度に上昇し、これによりレーザービームの光量を立ち上げた期間に比して大きなピットが形成される。これとは逆に周囲温度が低い場合等においては、レーザービーム照射位置の温度上昇が遅くなり、レーザービームの光量を立ち上げた期間に比して小さなピットが形成される。
【００１３】
このようにして形成されるピットの大きさが変化すると、記録データの直流レベルを０レベルに保持した場合でも、再生信号においては、記録データのデータ長に応じて直流レベルが変化するようになる。このため光磁気ディスク装置では、この試し書きしたデータの再生結果に基づいて、最適な記録の条件を検出し、この記録の条件でレーザービームを照射するようになされている。
【００１４】
これにより従来の光磁気ディスク装置では、再生信号を一定のしきい値で２値化し、記録したデータを確実に再生できるようになされている。
【００１５】
【発明が解決しようとする課題】
ところでこの変調方式として例えば可変長符号化方式の１つでなる１−１６変調方式のように、符号間干渉を積極的に利用した変調方式を適用すれば、その分光磁気ディスクの記録可能な周波数帯域を充分に利用することができ、光磁気ディスクの記録密度を向上できると考えられる。
【００１６】
ところがこのように符号間干渉を積極的に利用して光磁気ディスクの記録可能な周波数帯域を充分に利用する場合、光磁気ディスク装置の伝送系において、周波数特性が一定の帯域以外の帯域をも使用して記録再生することになり、再生信号の直流レベルが記録データのデータ長に応じて変化するようになる。この場合従来の光磁気ディスク装置では、直流レベルが変化する再生信号を一定のしきい値で２値化することにより、結局、再生信号を正しく２値化することが困難になる。
【００１７】
本発明は以上の点を考慮してなされたもので、直流成分が変動する場合でも、再生信号を正しく２値化することができるディスク装置、データ伝送装置及び直流レベル測定回路を提案しようとするものである。
【００１８】
【課題を解決するための手段】
かかる課題を解決するため本発明においては、伝送系を介して入力される入力信号をエンベロープ検波し、入力信号の上側エンベロープ及び下側エンベロープを検出するエンベロープ検波回路と、上側エンベロープ及び下側エンベロープを基準にして、上側エンベロープ及び下側エンベロープの信号レベルに追従して信号レベルが変化するしきい値を設定するしきい値設定回路と、しきい値と入力信号との比較結果を出力する比較回路と、比較結果をカウントし、カウント結果を出力するカウンタとを具え、しきい値の信号レベルを切り換えて得られるカウント結果により、伝送系を介して入力される入力信号の直流レベルを測定するものである。
【００１９】
また第２の発明においては、伝送系を介して入力される入力信号をエンベロープ検波し、入力信号の上側エンベロープ及び下側エンベロープを検出するエンベロープ検波回路と、上側エンベロープ及び下側エンベロープを基準にして、上側エンベロープ及び下側エンベロープの信号レベルに追従して信号レベルが変化するしきい値を設定するしきい値設定回路と、しきい値と入力信号との比較結果を出力する比較回路と、比較結果をカウントし、カウント結果を出力するカウンタとを具え、しきい値の信号レベルを切り換えて得られるカウント結果により、伝送系を最適化するものである。
【００２０】
また第３の発明においては、伝送系を介して入力される入力信号をエンベロープ検波し、入力信号の上側エンベロープ及び下側エンベロープを検出するエンベロープ検波回路と、上側エンベロープ及び下側エンベロープを基準にして、上側エンベロープ及び下側エンベロープの信号レベルに追従して信号レベルが変化するしきい値を設定するしきい値設定回路と、しきい値と前記入力信号との比較結果を出力する比較回路と、比較結果をカウントし、カウント結果を出力するカウンタと、入力信号をシリアルデータに変換する信号処理回路とを具え、しきい値の信号レベルを切り換えて得られるカウント結果により、信号処理回路を最適化するものである。
【００２１】
さらに第４の発明においては、ディスク状記録媒体を再生して得られる再生信号をエンベロープ検波し、再生信号の上側エンベロープ及び下側エンベロープを検出するエンベロープ検波回路と、上側エンベロープ及び下側エンベロープを基準にして、上側エンベロープ及び下側エンベロープの信号レベルに追従して信号レベルが変化するしきい値を設定するしきい値設定回路と、しきい値と再生信号との比較結果を出力する比較回路と、比較結果をカウントし、カウント結果を出力するカウンタとを具え、しきい値の信号レベルを切り換えて得られるカウント結果により、再生信号の直流レベルを測定するものである。
【００２２】
特に、直流レベルの測定結果に基づいて、ディスク状記録媒体に照射する光ビームの光量及び又は照射時間を補正することにより、ディスク状記録媒体の記録系又は再生系を最適化する。
【００２３】
また、再生信号の周波数特性を補正するフィルタ回路と、再生信号と所定の２値化レベルとの間で比較結果を得ることにより、再生信号をシリアルデータに変換する信号処理回路とを有し、直流レベルの測定結果に基づいて、フィルタ回路の周波数特性及び／又は２値化レベルを補正する。
【００２４】
【作用】
入力信号の上側エンベロープ及び下側エンベロープを検出し、この上側エンベロープ及び下側エンベロープの信号レベルに追従して信号レベルが変化するしきい値を設定し、このしきい値の信号レベルを切り換えて得られるしきい値と入力信号との比較結果をカウントすれば、入力信号のデータ長により入力信号の直流レベルが変動した場合でも、入力信号に対してしきい値の信号レベルが最適値に保持されたとき、最もカウント値の立ち上がるカウント結果を得ることができ、これによりこの最もカウント値の立ち上がるカウント結果から簡易に直流レベルを測定することができる。
【００２５】
従って同様の構成をデータ伝送装置に適用して、このデータ伝送装置の伝送系を最適化することができる。
【００２６】
また入力信号をシリアルデータに変換する信号処理回路についても、最適化することができる。
【００２７】
さらに、ディスク装置に適用して再生信号の直流レベルを測定することもできる。従ってこれによりディスク装置においては、ディスク状記録媒体に照射する光ビームの光量及び又は照射時間を補正して、記録系又は再生系を最適化することができる。また、再生信号の周波数特性を補正するフィルタ回路と、再生信号と所定の２値化レベルとの間で比較結果を得ることにより、再生信号をシリアルデータに変換する信号処理回路についても、フィルタ回路の周波数特性及び又は２値化レベルを補正して最適化することができる。
【００３０】
【実施例】
以下、適宜図面を参照して本発明の実施例を詳述する。
【００３１】
（１）第１の実施例
図２において、１は全体として光磁気ディスク装置を示し、コンピュータ等でなる外部機器から入力されるデータＤＡＴＡを光磁気ディスク２に記録し、さらにこの光磁気ディスク２に記録したデータＤＡＴＡを読み出して外部機器に出力する。
【００３２】
ここでこの光磁気ディスク２は、所定のディスク状基板に垂直磁化膜が形成された後、さらにプラスチック性の保護膜が配置されて形成される。さらにこの光磁気ディスク２は、レーザービームのガイド用溝でなるいわゆるプリグルーブがラセン状に形成され、このプリグルーブによってトラッキング制御できるようになされ、またこのプリグルーブの蛇行を検出してスピンドル制御し、さらにレーザービーム照射位置の位置情報を検出することができるようになされている。
【００３３】
すなわち光磁気ディスク装置１において、光ピックアップ３は、レーザーダイオードから出射されたレーザービームを、内蔵の対物レンズ４によって光磁気ディスク２の情報記録面に集光し、さらにこの光磁気ディスク２から得られる戻り光をこの対物レンズ４で集光して内蔵のフォトディテクタで受光する。ここでこのフォトディテクタは、受光面を例えば光磁気ディスク２の半径方向及び円周方向に分割して形成され、各分割された受光面の出力信号をそれぞれ出力するようになされている。
【００３４】
前処理回路５は、この各受光面の出力信号を電流電圧変換処理した後、加減算処理し、これによりトラッキングエラー信号ＴＥ、フォーカスエラー信号ＦＥ等を生成し、さらに戻り光の偏波面の変化を検出して再生信号ＭＯを生成する。さらに前処理回路５は、この再生信号ＭＯをフィルタリング処理することにより、再生信号ＭＯの周波数特性を補正して出力する。
【００３５】
サーボ回路６は、フォーカスエラー信号ＦＥ及びトラッキングエラー信号ＴＥに基づいて、対物レンズ４を上下左右に可動し、これによりトラッキング制御及びフォーカス制御し、併せてスピンドルモータ７を駆動して光磁気ディスク２を線速度一定の条件で回転駆動する。
【００３６】
このようにしてトラッキング制御、フォーカス制御及びスピンドル制御した状態で、ホストコンピュータから書き込みのコマンドが入力されると、光磁気ディスク装置１は、データの記録に先立って光ピックアップ３を光磁気ディスク２の試し書き領域に移動させ、この試し書き領域で間欠的にレーザービームの光量を読み出し時の光量から規定の光量に立ち上げると共に、所定の変調磁界を印加し、これによりこの試し書き領域に規定の条件で規定のデータを記録する。
【００３７】
続いて光磁気ディスク装置１は、再生動作に移って再生信号ＭＯの信号レベルの変化を検出し、最適な書き込みの条件を検出する。これらの一連の処理は、システム制御回路で全体の動作を制御して実行され、後述する直流レベル測定回路１４の測定結果に基づいて、システム制御回路が、最適な書き込みの光量等を選定することにより実行される。
【００３８】
このようにして試し書き領域で書き込みの条件が選定されると、光磁気ディスク装置１は、続いて入力されるデータＤＡＴＡを光磁気ディスク２に記録する。すなわちこの光磁気ディスク装置１において、入出力回路１０は、外部機器との間のインターフェース回路とデータバッファ回路を形成し、この外部機器との間で書き込み、読み出し、割り込み等のコマンドを入出力し、さらに書き込むデータＤＡＴＡ及び読み出したデータＤＡＴＡを入出力する。
【００３９】
記録データ処理回路１１は、書き込み時、この入出力回路１０から所定のブロック単位で出力されるデータＤＡＴＡに誤り訂正符号を附加した後、可変長符号化方式の１つでなる１−１６変調方式によってこのデータＤＡＴＡを記録データに変換し、さらにこの記録データにシンク、リシンク、アドレス等のデータを附加して出力する。
【００４０】
駆動回路１２は、この記録データ処理回路１１から出力されるシリアルデータＤ２に応じて光ピックアップ３のレーザーダイオードを駆動し、シリアルデータＤ２の論理レベルが立ち上がっている期間の間、レーザービームの光量を読み出し時の光量から書き込みの光量に立ち上げる。これにより光磁気ディスク装置１では、このシリアルデータＤ２に応じて順次光磁気ディスク２にピットを形成し、外部機器から入力されたデータＤＡＴＡを光磁気ディスク２に記録する。
【００４１】
これに対して外部機器から読み出しのコマンドが入力されると、光磁気ディスク装置１は、このコマンドで指定されるデータを光磁気ディスク２から読み出して出力する。すなわち光磁気ディスク装置１において、比較回路１３は、非反転入力端に再生信号ＭＯを入力し、システム制御回路で設定されるしきい値ＳＬを反転入力端に入力し、このしきい値ＳＬで再生信号ＭＯを２値化データＤ３に変換して出力する。
【００４２】
再生データ処理回路１５は、この２値化データＤ３からデータＤＡＴＡを復号して入出力回路１０に出力する。このとき再生データ処理回路１５は、この２値化データＤ３のシンク、リシンクを検出してブロック単位で誤り訂正等の処理を実行する共に復号し、これにより読み出したデータＤＡＴＡのビット誤り等を有効に回避する。さらに再生データ処理回路１５は、この誤り訂正等の処理を実行する際、内蔵のＦＩＦＯ（First In First Out）メモリ回路に２値化データＤ３を一旦格納して処理し、所定の内部クロックに同期したタイミングで入出力回路１０に出力する。
【００４３】
かくして光磁気ディスク装置１においては、１−１６変調方式を適用したことにより、符号間干渉を積極的に利用して光磁気ディスク２の周波数帯域を有効に利用することができ、その分従来の光磁気ディスク装置に比して記録密度を向上できるようになされている。
【００４４】
ここで直流レベル測定回路１４は、図１に示すように形成されている。なお図１においては、光磁気ディスク装置１をデータ伝送装置として把握し、入出力回路１０から駆動回路１２に至るまでの信号処理回路をデータ発生源２１で表し、変調コイル、光ピックアップ３から前処理回路５までの記録媒体を含む記録再生系を伝送系２０で表す。
【００４５】
ここでこの種のデータ伝送系では、データ発生源２１で生成したシリアルデータＤ２を伝送系２０を介して伝送し、ここでこの伝送系２０の伝達特性により伝送するシリアルデータＤ２の信号波形が変化し、再生信号ＭＯとして受信側に入力される。
【００４６】
このようなデータ伝送系において、例えば図３に示すように、基本周期Ｔに対して周期８Ｔ、２Ｔ、２Ｔ、８Ｔで論理レベルが反転するシリアルデータＤ２を繰り返して伝送したとき、この周期８Ｔ及び２Ｔのデータ長に対して、この伝送系２０が等しい振幅特性を有している場合、すなわちこの周期８Ｔ及び２Ｔを基本周期にしてなる周波数帯域に対して、伝送系２０の周波数帯域が充分な場合、図４に示すような再生信号ＭＯを得ることができる。
【００４７】
ここでこの再生信号ＭＯは、再生信号ＭＯの最大振幅の１／２の信号レベルＬ１を基準にして振幅を観測すると、周期８Ｔのデータ長の部分においては、この信号レベルＬ１から最大値までの信号レベルａ１と、この信号レベルＬ１から最小値ｂ１までの信号レベルｂ１とが等しい信号レベルに保持される。また周期２Ｔのデータ長の部分においては、この信号レベルＬ１から最大値までの信号レベルａ２と、この信号レベルＬ１から最小値までの信号レベルｂ２とが等しい信号レベルに保持される。
【００４８】
これにより伝送系２０の周波数帯域が充分な場合、この最大振幅の１／２の信号レベルＬ１をしきい値に設定して再生信号ＭＯを２値化することにより、伝送されたシリアルデータＤ２を正しく２値化することができる。
【００４９】
これに対して図５に示すように、この周期８Ｔ及び２Ｔのデータ長に対して、この伝送系２０の振幅特性が異なる場合、すなわちこの周期８Ｔ及び２Ｔを基本周期にしてなる周波数帯域で周波数特性が変化している場合、図６に示すようにデータ長に応じて直流レベルが変化する再生信号ＭＯが得られる。すなわちこの場合は、周期８Ｔのデータ長に比して周期２Ｔのデータ長が振幅特性が劣化することにより、周期８Ｔの部分で再生信号ＭＯの信号レベルが最大振幅に立ち上がった後、周期２Ｔの部分で信号レベルの立ち下がりが小さくなり、続く周期２Ｔの部分で信号レベルが最大振幅に立ち上がることになる。
【００５０】
これによりこの周期８Ｔの部分における最大値及び最小値の中間値レベルＬ２（すなわち図６において信号レベルａ３及びｂ３が等しくなる信号レベルでなる）と、周期２Ｔの部分における最大値及び最小値の中間値レベルＬ３（すなわち図６において信号レベルａ４及びｂ４が等しくなる信号レベルでなる）との間で信号レベルが異なるようになり、結局、上述した信号レベルＬ１をしきい値に設定して再生信号ＭＯを２値化したのでは、シリアルデータＤ２を正しく再生できなくなる。
【００５１】
なお図７に示すように、この各信号レベルＬ２及びＬ３と再生信号ＭＯの最小値との間の信号レベルＡ及びＢについて、次式
【数１】
0004040116.tif 000002
の関係式で表される値ＡＳをアシンメトリーと呼び、以下、データ長により直流レベルが変化している程度をこのアシンメトリーＡＳで表す。従ってデータ長により直流レベルが変化していない場合、アシンメトリーＡＳは５０〔％〕になる。
【００５２】
このため直流レベル測定回路１４は、この再生信号ＭＯをエンベロ−プ検波回路２２に入力し、ここで再生信号ＭＯをエンベロープ検波する。すなわちエンベロープ検波回路２２は、図８に示すように、再生信号ＭＯの上側エンベロープ検出結果ＥＵと下側エンベロープ検出結果ＥＬを得、これら上側エンベロープ検出結果ＥＵ及び下側エンベロープ検出結果ＥＬを基準レベル生成回路２３に出力する。
【００５３】
ここでこの基準レベル生成回路２３は、抵抗値の等しい抵抗を、この実施例では８本直列接続して形成され、この直列回路の両端にそれぞれ上側エンベロープ検出結果ＥＵと下側エンベロープ検出結果ＥＬとを入力し、各抵抗の接続中点を選択回路２４の各接点に接続する。これにより直流レベル測定回路１４は、上側エンベロープ検出結果ＥＵと下側エンベロープ検出結果ＥＬとで決まる信号レベルを８本の抵抗で分圧し、その結果得られる分圧電圧Ｂ０〜Ｂ６を選択回路２４に出力する。
【００５４】
選択回路２４は、この分圧電圧Ｂ０〜Ｂ６を順次所定周期で選択し、その選択出力を比較回路２５の非反転入力端に出力する。この比較回路２５は、ヒステリシス特性を有し、反転入力端に再生信号ＭＯを入力するようになされている。これにより比較回路２５は、選択された分圧電圧Ｂ０〜Ｂ６を基準にして再生信号ＭＯを２値化し、その２値化結果をカウンタ２６に出力する。
【００５５】
カウンタ２６は、ゲート信号発生回路２７から出力されるリセット信号ＲＴによりリセットされた後、ゲート信号ＧＴを基準にして、比較回路２５の出力信号について、その信号レベルの立ち上がりをカウントし、このカウント値ＣＴを出力する。
【００５６】
この一連の処理につき光磁気ディスク装置１においては、試し書き領域に規定のシリアルデータＤ２を繰り返し記録し、さらにゲート信号発生回路２７からこのシリアルデータＤ２の繰り返し周期に同期した周期でリセット信号ＲＴ及びゲート信号ＧＴが出力されることにより、カウンタ２６は、書き込み領域に試し書きした再生信号ＭＯの繰り返し周期でこのカウント動作を繰り返し、選択回路２４は、この繰り返し周期に同期して順次接点を切り換える。
【００５７】
この場合図８に示すように、選択回路２４において分圧電圧Ｂ１が選択された場合と分圧電圧Ｂ２が選択された場合とでは、再生信号ＭＯの信号レベルが分圧電圧Ｂ２の信号レベルを横切る回数の方が多いことにより、カウンタ２６のカウント値においては、分圧電圧Ｂ２が選択された場合の方がカウント値ＣＴが多くなる。また、この場合再生信号ＭＯを２値化するしきい値としては、カウント値ＣＴの多い分圧電圧Ｂ２の方が適切と判断することができる。
【００５８】
これにより図９に示すように、カウンタ２６を介して得られるカウント値ＣＴは、再生信号ＭＯのアシンメトリーＡＳが５０〔％〕のとき、上側エンベロープ検出結果ＥＵと下側エンベロープ検出結果ＥＬとの中間の信号レベルでなる分圧電圧Ｂ３を選択した場合にカウント値ＣＴが最も大きくなり、比較回路２５の比較基準がこの分圧電圧Ｂ３から遠ざかるとその分値も小さくなる。
【００５９】
また再生信号ＭＯのアシンメトリーＡＳが５０〔％〕からずれているとき、その分分圧電圧Ｂ３から変位した分圧電圧を選択したとき、カウント値ＣＴが最も大きくなり、この分圧電圧から比較基準が遠ざかるとその分値も小さくなる。従ってカウント値ＣＴが最も大きくなる分圧電圧を検出して再生信号ＭＯのアシンメトリーＡＳを検出することができる。
【００６０】
従ってこの種のデータ伝送装置において、この検出したアシンメトリーＡＳに基づいて、データ発生源の条件、伝送系２０の条件、再生時のしきい値等を調整して最適な伝送条件を選択し、これにより直流成分を含むような変調方式を選択した場合でも、再生信号を正しく２値化することができる。
【００６１】
このため光磁気ディスク装置１において、システム制御回路は、このカウンタ２６のカウント値ＣＴを順次取り込んだ後、このカウント値ＣＴが最も立ち上がる分圧電圧Ｂ０〜Ｂ６を検出する。このときシステム制御回路は、図９について上述したカウント値ＣＴを曲線近似して最大値を検出し、これにより離散的な分圧電圧Ｂ０〜Ｂ６に対して、高い精度でアシンメトリーＡＳを検出する。
【００６２】
さらにシステム制御回路は、書き込み領域で検出されたこのアシンメトリーＡＳに基づいて、書き込み用の光量及びレーザービームを書き込み用の光量に立ち上げる期間を算定し、これによりアシンメトリーＡＳがほぼ５０〔％〕になる書き込みの条件を算出する。続いてシステム制御回路は、記録データ処理回路１１及び駆動回路１２に制御コマンドを送出し、これにより続くデータ記録時、算定した条件によりシリアルデータＤ２を光磁気ディスク２に記録する。
【００６３】
これにより光磁気ディスク装置１においては、データ長に応じて直流レベルが変動する伝送系を介してシリアルデータＤ２を再生する場合でも、この直流レベルが最適に保持される条件でシリアルデータＤ２を記録することができ、直流成分を含むような変調方式を選択した場合でも、記録再生系を最適化して再生信号を正しく２値化することができる。
【００６４】
これに対して再生時、光磁気ディスク装置１においては、同様にしてデータの再生に先立って、直流レベル測定回路１４において、再生に供するデータを用いてアシンメトリーＡＳを検出する。さらに光磁気ディスク装置１において、システム制御回路は、このアシンメトリーＡＳの検出結果に基づいて前処理回路５に制御コマンドを発行し、アシンメトリーＡＳが５０〔％〕に近づくように、フィルタリング特性を切り換え、又は比較回路１３のしきい値を最適化する。
【００６５】
すなわち、この種の光磁気ディスク装置においては、光磁気ディスク２を交換する場合があり、この光磁気ディスク装置１で記録したデータを他の光磁気ディスク装置で再生する場合がある。この場合、この実施例のように、直流レベル測定回路１４の測定結果に基づいて書き込み条件を最適化すれば、他の光磁気ディスク装置で再生する場合でも、記録再生系全体として伝送特性を最適化して再生信号ＭＯを正しく２値化することができる。
【００６６】
またこれとは逆に、他の光磁気ディスク装置で記録した光磁気ディスク２をこの実施例に係る光磁気ディスク装置１で再生する場合もあり、この場合、この実施例のようにフィルタリング特性又はしきい値ＳＬを設定することにより、記録系又は再生系全体として伝送特性を最適化して再生信号ＭＯを正しく２値化することができる。
【００６７】
これにより光磁気ディスク装置１は、この光磁気ディスク装置１でデータを記録再生する場合だけでなく、他の光磁気ディスク装置で記録した光磁気ディスク２を再生する場合、さらにはこの光磁気ディスク装置１で記録した光磁気ディスク２を他の光磁気ディスク装置で再生する場合でも、伝送系を最適化して確実に記録したデータを再生できるようになされている。
【００６８】
以上の構成において、外部機器から書き込みのコマンドが入力されると、光磁気ディスク装置１は、光ピックアップ３を試し書き領域に移動させて試し書きし、これにより書き込みの光量が設定される。このとき光磁気ディスク装置１は、規定のデータを規定の条件で繰り返し記録した後、記録したデータを再生し、この再生結果により書き込み条件を選定し、記録再生系を最適化する。
【００６９】
すなわち再生信号ＭＯは、直流レベル測定回路１４において、上側エンベロープ及び下側エンベロープが検出され、基準レベル生成回路２３によりこの上側エンベロープ検出結果ＥＵ及び下側エンベロープ検出結果ＥＬ間の分圧電圧Ｂ０〜Ｂ６が生成される。さらに各分圧電圧Ｂ０〜Ｂ６と再生信号ＭＯとの比較結果がカウンタ２６でカウントされ、このカウント結果によりアシンメトリーＡＳが検出される。
【００７０】
さらにこのアシンメトリーＡＳにより、アシンメトリーＡＳが５０〔％〕になるように、書き込みの光量と、レーザービームを書き込み時の光量に立ち上げる期間とが補正され、最適な書き込み条件に記録再生系が最適化される。
【００７１】
これに対して入出力回路１０を介して外部機器から入力されるデータＤＡＴＡは、記録データ処理回路１１において、所定のブロック単位で誤り訂正符号が附加された後、１−１６変調を受け、シンク、リシンク等のデータが附加されてシリアルデータＤ２に変換される。このシリアルデータＤ２は、駆動回路１２に出力され、これによりこのシリアルデータＤ２の論理レベルに応じてレーザービームの光量が読み出し時の光量から試し書きにより設定された書き込み用の光量に、試し書きにより設定された立ち上がり期間を単位にして間欠的に切り換わり、光磁気ディスク２に順次記録データに対応したピットが形成される。
【００７２】
これに対して外部機器から読み出しのコマンドが入力されると、光ピックアップ３から出力される再生信号ＭＯは、比較回路１３において、しきい値ＳＬを基準にして２値化されて２値化データＤ３が生成され、この２値化データＤ３が、再生データ処理回路１５において、復号された後、誤り訂正処理され、入出力回路１０を介して外部機器に出力される。
【００７３】
この２値化の際、再生信号ＭＯは、直流レベル測定回路１４において、同様にしてアシンメトリーＡＳが検出され、このアシンメトリーＡＳが５０〔％〕になるように、フィルタリング特性が設定され、又は２値化の際のしきい値ＳＬが設定される。
【００７４】
以上の構成によれば、上側エンベロープ及び下側エンベロープを基準にして基準レベル生成回路２３により生成された分圧電圧Ｂ０〜Ｂ６と、再生信号ＭＯとの比較結果をカウンタ２６でカウントし、このカウント結果によりアシンメトリーＡＳを検出することにより、データ長により直流レベルが変化する場合についてもアシンメトリーＡＳを検出することができる。
【００７５】
これによりこの検出したアシンメトリーＡＳを基準にして記録系を最適化し、また再生系を最適化することにより、再生信号ＭＯを正しく２値化データに変換することができる。かくするにつき、記録再生系の周波数帯域を有効に利用して従来に比して記録密度を向上することができる。
【００７６】
（２）他の実施例
なお上述の実施例においては、選択回路２４の接点を順次切り換えてカウント結果を得ることにより、再生信号ＭＯに対してしきい値の信号レベルを順次切り換えて得られるカウント結果を検出する場合について述べたが、本発明はこれに限らず、分圧電圧Ｂ０〜Ｂ６に対応して複数系統の比較回路及びカウンタを配置し、これによりしきい値の信号レベルを切り換えて得られるカウント結果を同時に検出してもよい。
【００７７】
このようにすれば、リアルタイムでアシンメトリーを検出することができることにより、このアシンメトリー検出結果に基づいてリアルタイムでフィルタリング特性又は２値化のしきい値を切り換えることができ、さらに一段と正確に再生信号ＭＯを２値化することができる。
【００７８】
また上述の実施例においては、１−１６変調方式を適用した場合について述べたが、本発明はこれに限らず、種々の変調方式を選択した場合に広く適用することができ、さらには直流成分を伴なわない変調方式を選択した場合にも適用することができる。
【００７９】
さらに上述の実施例においては、本発明を光磁気ディスク装置に適用した場合について述べたが、本発明はこれに限らず、ライトワンス型の光ディスク装置等、種々の光ディスク装置に、さらにはハードディスク装置等の磁気記録再生装置、光ファイバーを用いた光通信装置等のデータ伝送装置に広く適用することができる。
【００８０】
すなわち図１０に示すように、ハードディスク装置等の磁気記録再生装置では、この種の光磁気ディスク装置と同様に、書き込みデータを変調して記録データＲＥＣ（図１０（Ａ））に変換し、この記録データＲＥＣに応じて磁気ヘッドに記録電流を供給する。これにより磁気記録再生装置では、磁気ヘッドの走査軌跡上に順次走査軌跡の方向に連続する磁化領域を形成し（図１０（Ｂ））、書き込みデータをハードディスク等の磁気記録媒体に記録する。
【００８１】
これに対して再生時、磁気記録再生装置は、この磁気ヘッドの走査軌跡を再生ヘッドでトレースし、これにより磁化領域の境界で正及び負に信号レベルがパルス状に立ち上がる再生信号ＰＢを検出し（図１０（Ｃ））、０レベルを間に挟んだ２つのしきい値を基準にしてこの再生信号ＰＢを１、０、−１と判断することにより、再生信号ＰＢを２値化する。従って図１０については、再生信号が０レベルに保持されている状態が論理０、再生信号が１又は−１に変化する状態が論理１を表すことになる。
【００８２】
従って磁気記録再生装置においても、記録密度を向上して符号間干渉が発生すると、結局データ長に応じて、例えばこの論理１に保持されるべき再生信号ＰＢの信号レベルが変化することになる。これによりこの種の磁気記録再生装置に、図１について上述した直流レベル測定回路を適用してアシンメトリーを検出し、このアシンメトリー検出結果に基づいて記録再生系を最適化して再生信号ＰＢを正しく２値化することができる。具体的には、アシンメトリー検出結果に基づいて、記録電流を補正し、また再生信号ＰＢの周波数特性を補正し、さらには再生信号ＰＢを２値化するしきい値を補正して、再生信号ＰＢを正しく２値化することができる。
【００８３】
これに対して光ファイバーを用いた光通信装置においては、図１１に示すように、同様に、書き込みデータを変調して伝送データＤ４（図１１（Ａ））を生成し、この伝送データＤ４に応じてレーザーダイオードを駆動してレーザービームを出射する。これにより光通信装置においては、伝送距離が充分に適切な距離に保持されている場合、伝送データＤ４の論理レベルに対応して、ほぼ０レベルの光量から立ち上がるレーザービーム（図１１（Ｂ））を受光することができ、この受光結果を２値化して伝送データＤ４を再生することができる。
【００８４】
ところが光ファイバーでレーザービームを伝送する場合、光の分散を避けることが困難なことにより、伝送距離が長くなると、光量の立ち上がり及び立ち下がりがなだらかになり（図１１（Ｃ））、ついには振幅方向及び位相方向の双方について、アイパターンの開口が小さくなる。すなわちこの場合、振幅余裕及び位相余裕が伝送距離に応じて低下するようになる（図１１（Ｄ））。
【００８５】
このような特徴を有する光通信装置において、伝送速度を向上することにより符号間干渉が発生すると、結局データ長に応じて、例えばこの論理０に保持されるべきレーザービームの光量が伝送対象側において変化することになる。これによりこの種の光通信装置において、図１について上述した直流レベル測定回路を適用してアシンメトリーを検出し、このアシンメトリー検出結果に基づいて伝送系を最適化して伝送されたデータを正しく再生することができる。具体的には、アシンメトリー検出結果に基づいて、レーザービームの光量を補正し、またレーザービームの照射期間を補正し、さらには受光結果の周波数特性、受光結果を２値化するしきい値を補正して、正しく２値化することができる。
【００８６】
【発明の効果】
上述のように本発明によれば、データ長に応じて直流レベルが変化する場合でも、この直流レベルを検出することができ、またこの検出結果に基づいて記録再生系を最適化するとができ、これにより伝送されたデータを正しく再生することができる。
【図面の簡単な説明】
【図１】本発明の一実施例による光磁気ディスク装置の直流レベル測定回路を示すブロック図である。
【図２】図１の光磁気ディスク装置を示すブロック図である。
【図３】図２の光磁気ディスク装置の動作の説明に供する信号波形図である。
【図４】図２の光磁気ディスク装置において、記録再生系の周波数帯域が充分な場合の再生信号を示す信号波形図である。
【図５】図２の光磁気ディスク装置の実際の周波数特性を示す特性曲線図である。
【図６】図２の光磁気ディスク装置の実際の再生信号を示す信号波形図である。
【図７】アシンメトリーの説明に供する信号波形図である。
【図８】図１の直流レベル測定回路の動作の説明に供する信号波形図である。
【図９】図１の直流レベル測定回路の測定結果を示す特性曲線図である。
【図１０】本発明を磁気記録再生装置に適用した実施例の説明に供する信号波形図である。
【図１１】本発明を光通信装置に適用した実施例の説明に供する信号波形図である。
【符号の説明】
１          光磁気ディスク装置
２          光磁気ディスク
３          光ピックアップ
１３、２５  比較回路
１４        直流レベル測定回路
２０        伝送系
２１        データ発生源
２２        エンベロープ検波回路
２３        基準レベル生成回路
２６        カウンタ
【図１】
0004040116.tif 000003
【図２】
0004040116.tif 000004
【図３】
0004040116.tif 000005
【図４】
0004040116.tif 000006
【図５】
0004040116.tif 000007
【図６】
0004040116.tif 000008
【図７】
0004040116.tif 000009
【図８】
0004040116.tif 000010
【図９】
0004040116.tif 000011
【図１０】
0004040116.tif 000012
【図１１】
0004040116.tif 000013